(57)【要約】      （修正有）【課題】軸受部への水の浸入を防ぎ、寿命の長いモータを提供する。【解決手段】モータ１０は、回転部２０と静止部３０を有する。回転部は、中心軸ＣＡに沿って延びるシャフト２１と、シャフトと共に回転するロータ２２と、ロータに保持されるマグネット２３と、を有する。静止部は、シャフトを回転可能に支持する軸受部３１と、マグネットの径方向内方に対向して配置されるステータ３２と、軸受部及びステータを保持するハウジング３３と、を有する。ロータは、軸方向一方側に向けて凹となり、ハウジングの一部を囲む窪み部２４を有する。ハウジングは、窪み部内の軸方向一方側においてロータと対向する第１の対向部３４を有する。第１の対向部は、軸受部よりも径方向外方であり、かつ、周方向の少なくとも一部の範囲において、中心軸から径方向端部までの距離が軸方向一方側に向けて小さくなる先細り部を有する。【選択図】図２
2019068488.tif 000002
【特許請求の範囲】
【請求項１】
モータであって、
中心軸を中心として回転する回転部と、
前記回転部を回転可能に支持する静止部と、
を有し、
前記回転部は、
前記中心軸に沿って延びるシャフトと、
前記シャフトと共に回転するロータと、
前記ロータに保持されるマグネットと、
を有し、
前記静止部は、
前記シャフトを回転可能に支持する軸受部と、
前記マグネットの径方向内方に対向して配置されるステータと、
前記軸受部及び前記ステータを保持するハウジングと、
を有し、
前記ロータは、軸方向一方側に向けて凹となり、前記ハウジングの一部を囲む窪み部を有し、
前記ハウジングは、前記窪み部内の軸方向一方側において前記ロータと対向する第１の対向部を有し、
前記第１の対向部は、前記軸受部よりも径方向外方であり、かつ、周方向の少なくとも一部の範囲において、前記中心軸から径方向端部までの距離が前記軸方向一方側に向けて小さくなる先細り部を有する、モータ。
【請求項２】
前記先細り部は、前記距離が前記軸方向一方側に向けて漸次小さくなる第１の傾斜面を含む、請求項１に記載のモータ。
【請求項３】
前記先細り部は、前記距離が前記軸方向一方側に向けて段階的に小さくなる階段部を含む、請求項１又は２に記載のモータ。
【請求項４】
前記先細り部は、軸方向他方側に窪む凹部を有する、請求項１から３のいずれか１項に記載のモータ。
【請求項５】
前記凹部を構成する径方向外方の内周面は、径方向における前記中心軸からの長さが前記軸方向一方側に向かうにつれて徐々に大きくなる第２の傾斜面を含む、請求項４に記載のモータ。
【請求項６】
前記凹部の径方向外方の縁部分は、径方向における前記中心軸からの長さが前記軸方向一方側に向かうにつれて徐々に大きくなる曲面部を含む、請求項４又は５に記載のモータ。
【請求項７】
前記凹部が径方向に複数設けられる、請求項４から６のいずれか１項に記載のモータ。
【請求項８】
前記先細り部は、前記凹部と径方向に隣り合うとともに軸方向の高さが異なる複数の凸部を含む、請求項４から７のいずれか１項に記載のモータ。
【請求項９】
前記凹部及び凸部は環状に設けられる、請求項８に記載のモータ。
【請求項１０】
前記凹部及び凸部の軸方向から見た場合の形状が、円環状或いは矩形環状である、請求項９に記載のモータ。
【請求項１１】
前記ハウジングは、前記窪み部外で前記ロータに対向する第２の対向部を有し、
前記第２の対向部と前記ロータの外面との間には周方向全周にわたってラビリンス構造が形成され、
前記第２の対向部の前記ラビリンス構造を形成する突出部には、第１の溝部が形成されている、請求項９又は１０に記載のモータ。
【請求項１２】
前記凸部には、第２の溝部が形成されている、請求項１１に記載のモータ。
【請求項１３】
前記第２の溝部が複数あって、
前記複数の２の溝部は径方向に一列に並んでいる、請求項１２に記載のモータ。
【請求項１４】
前記第１の溝部と前記第２の溝部とは径方向に並んでいる、請求項１２又は１３に記載のモータ。
【請求項１５】
前記軸受部は、前記第１の対向部の軸方向一方側端部よりも前記ロータから軸方向他方側に離れた位置に配置されている、請求項１から１４のいずれか１項に記載のモータ。
【請求項１６】
前記第１の対向部は、前記先細り部の軸方向一方側端部に隣り合う壁部を有し、
前記壁部の最も長い前記距離は、前記先細り部の軸方向一方側端部の前記距離よりも長い、請求項１から１５のいずれか１項に記載のモータ。
【請求項１７】
前記ハウジングは樹脂製である、請求項１から１６のいずれか１項に記載のモータ。
【請求項１８】
請求項１から１７のいずれか１項に記載のモータを有する、室外機。
【請求項１９】
少なくとも一部が開口する開口部と、
前記開口部の少なくとも一部を覆うカバー部を更に有し、
前記モータは前記カバー部に取り付けられる、請求項１８に記載の室外機。
【請求項２０】
前記シャフトは、前記カバー部の鉛直方向に平行な面に直交している、請求項１９に記載の室外機。
【発明の詳細な説明】
【技術分野】
【０００１】
本発明は、モータ及び室外機に関する。
【背景技術】
【０００２】
例えば、特許文献１に開示されるアウターロータ型モータは、モータ内部に位置するステータ部分を樹脂材料でモールドし、前記ステータの外周側にロータを配置した構造である。樹脂モールドによって、ステータの巻線コイル及びリード線半田付け部が樹脂で封止されて外気と遮断される。このために、特許文献１のアウターロータ型モータは、防水、防滴、防錆力を向上して長寿命化を図ることができる。
【先行技術文献】
【特許文献】
【０００３】
【特許文献１】特開２０００−３２４７４５号公報
【発明の概要】
【発明が解決しようとする課題】
【０００４】
特許文献１に開示されるアウターロータ型モータは、ステータとロータとの間に隙間を有する。当該隙間を通って、モータの外部から内部に水が浸入することがある。モータは、シャフトを回転可能に支持する軸受部を内部に有する。軸受部は、樹脂モールドによって覆われない露出部を有する。当該露出部が、内部に浸入した水よって被水することがある。露出部が被水すると、軸受部は錆びる虞がある。露出部が被水すると、軸受部の内部に含まれるオイルが外部に流出する虞がある。
【０００５】
以上の点に鑑みて、本発明は、外部から浸入した水が軸受部に到達し難い構成とすることで、寿命の長いモータを提供することを目的とする。
【課題を解決するための手段】
【０００６】
本発明の例示的なモータは、中心軸を中心として回転する回転部と、前記回転部を回転可能に支持する静止部と、を有する。前記回転部は、前記中心軸に沿って延びるシャフトと、前記シャフトと共に回転するロータと、前記ロータに保持されるマグネットと、を有する。前記静止部は、前記シャフトを回転可能に支持する軸受部と、前記マグネットの径方向内方に対向して配置されるステータと、前記軸受部及び前記ステータを保持するハウジングと、を有する。前記ロータは、軸方向一方側に向けて凹となり、前記ハウジングの一部を囲む窪み部を有する。前記ハウジングは、前記窪み部内の軸方向一方側において前記ロータと対向する第１の対向部を有する。前記第１の対向部は、前記軸受部よりも径方向外方であり、かつ、周方向の少なくとも一部の範囲において、前記中心軸から径方向端部までの距離が前記軸方向一方側に向けて小さくなる先細り部を有する。
【０００７】
本発明の例示的な室外機は、上述した本発明の例示的なモータを有する。
【発明の効果】
【０００８】
例示的な本発明によれば、外部から浸入した水が軸受部に到達し難いモータを提供できる。また、例示的な本発明によれば、前述のモータを有して故障が生じ難い室外機を提供できる。
【図面の簡単な説明】
【０００９】
【図１】図１は、本発明の実施形態に係る室外機の外観構成を示す概略斜視図である。
【図２】図２は、本発明の第１実施形態に係るモータの構成を示す概略断面図である。
【図３Ａ】図３Ａは、本発明の第１実施形態に係るモータが有する第１の対向部を軸方向から見た概略平面図である。
【図３Ｂ】図３Ｂは、本発明の第１実施形態に係るモータが有するハウジングの部分概略断面図である。
【図４Ａ】図４Ａは、本発明の第２実施形態に係るモータが有する第１の対向部を軸方向から見た概略平面図である。
【図４Ｂ】図４Ｂは、本発明の第２実施形態に係るモータが有するハウジングの部分概略断面図である。
【図５】図５は、本発明の第３実施形態に係るモータが有するハウジングの部分概略断面図である。
【図６Ａ】図６Ａは、本発明の第３実施形態に係るモータが有する第１の対向部の第１変形例を示す部分概略断面図である。
【図６Ｂ】図６Ｂは、本発明の第３実施形態に係るモータが有する第１の対向部の第２変形例を示す部分概略断面図である。
【図７Ａ】図７Ａは、本発明の第４実施形態に係るモータが有するハウジングの概略斜視図である。
【図７Ｂ】図７Ｂは、本発明の第４実施形態に係るモータが有するハウジングの概略平面図である。
【図７Ｃ】図７Ｃは、本発明の第４実施形態に係るモータが有するハウジングの概略側面図である。
【図７Ｄ】図７Ｄは、本発明の第４実施形態に係るモータが有するハウジングの部分概略断面図である。
【図８】図８は、本発明の第４実施形態に係るモータの部分概略断面図である。
【図９】図９は、本発明の第４実施形態に係るモータが有する突出部の一部及びその周辺を拡大して示す概略斜視図である。
【図１０】図１０は、本発明の第４実施形態に係るモータが有する第１の対向部の変形例を示す概略平面図である。
【図１１Ａ】図１１Ａは、本発明の第５実施形態に係るモータが有するハウジングの概略斜視図である。
【図１１Ｂ】図１１Ｂは、本発明の第５実施形態に係るモータが有するハウジングの概略平面図である。
【図１２】図１２は、本発明の実施形態に係るモータの更なる変形例を説明するための部分概略断面図である。
【図１３】図１３は、本発明の実施形態に係るモータの更なる変形例を説明するための部分概略断面図である。
【発明を実施するための形態】
【００１０】
以下、本発明の例示的な実施形態について、図面を参照しながら詳細に説明する。本明細書では、モータの中心軸の方向を単に「軸方向」と呼び、モータの中心軸を中心とする径方向及び周方向を単に「径方向」及び「周方向」と呼ぶことにする。本明細書では、中心軸が水平となる状態に配置されるモータを基準として、「上側」及び「下側」の表現を使用する。本明細書において、水平は、必ずしも完全に水平でない。鉛直は、必ずしも完全に鉛直でない。平行は、必ずしも完全に平行でない。直交は、必ずしも完全に鉛直でない。一列は、必ずしも完全に一列でない。
＜１．室外機の概略構成＞
【００１１】
本発明の例示的な室外機の概略構成について説明する。図１は、本発明の実施形態に係る室外機１の外観構成を示す概略斜視図である。室外機１は、例えば屋外の床面上に設置される。室外機１は、不図示の室内機と組み合わせて使用される分離型の空気調和機の室外機であってよい。
【００１２】
室外機１は、詳細は後述する本発明の例示的なモータを有する。当該モータは、室外機１の筐体２内に内蔵される。筐体２内には、モータの他、例えば電源部、圧縮機、熱交換器等の設備も内蔵される。電源部は、室外機１の各構成要素に電力を供給する。圧縮機は、冷凍サイクルで用いられる冷媒を圧縮して高温高圧気体の冷媒を生成する。熱交換器は、外気との間で熱交換を行う。
【００１３】
室外機１は、少なくとも一部が開口する開口部３を有する。詳細には、開口部３は室外機１の排気口を含む。開口部３は、筐体２の正面側の側壁に形成される。なお、筐体２の背面側には吸気口が設けられる。モータの駆動によって、外部から吸気口を介して筐体２の内部に外気が吸い込まれる。吸い込まれた外気は、熱交換器を通過し、開口部３を介して外部に排出される。
【００１４】
室外機１は、開口部３の少なくとも一部を覆うカバー部４を有する。本実施形態では、カバー部４は開口３の形状に対応して円形に設けられる。カバー部４の形状は、円形以外であってもよい。カバー部４は、筐体２と別部材であっても、同一部材であってもよい。カバー部４は、詳細には中央に円板部４ａを有する。円板部４ａの中心と開口部３の中心は略一致する。カバー部４は、円板部４ａから径方向に延びる複数の第１のリブ４ｂを有する。カバー部４は、円板部４ａの周囲に配置されて周方向に延びる複数の第２のリブ４ｃを有する。複数のリブ４ｂ、４ｃの間には、通気孔４ｄが形成される。
【００１５】
モータは、カバー部４に取り付けられる。詳細には、モータは円板部４ａの内面に取り付けられる。モータのカバー部４に対する固定には、例えばネジ等の固定具が用いられてよい。モータは、後述するシャフトが水平となる姿勢でカバー部４に取り付けられる。換言すると、シャフトは、カバー部４の鉛直方向に平行な面に直交する。軸方向から見た場合に、モータの中心軸と、円板部４ａの中心位置とは略一致する。
＜２．モータの第１実施形態＞
【００１６】
次に、本発明の第１実施形態に係るモータの構成について説明する。図２は、本発明の第１実施形態に係るモータ１０の構成を示す概略断面図である。図２は、モータ１０の中心軸ＣＡを含む切断面で切断した断面図である。図２に示すモータ１０は、アウターロータ型のモータである。
【００１７】
モータ１０は、中心軸ＣＡを中心として回転する回転部２０を有する。回転部２０は、中心軸ＣＡに沿って延びるシャフト２１を有する。シャフト２１は、例えばステンレス等の金属で形成される柱状の部材である。回転部２０は、シャフト２１と共に回転するロータ２２を有する。ロータ２２は、軸方向の片側が開口した円筒形状である。軸方向から見た場合に、ロータ２２の中心は、中心軸ＣＡと略一致する。ロータ２２は、例えば樹脂によって形成される。ロータ２２の外周には、複数枚の羽根２２ａが設けられる。複数枚の羽根２２ａはロータ２２と同一部材であり、ロータ２２と共に回転する。羽根２２ａの回転によって、室外機１における上述した外気の吸込みと排出が行われる。なお、羽根２２ａは、ロータ２２と共に回転すればよく、ロータ２２と別部材であってもよい。
【００１８】
回転部２０は、ロータ２２に保持されるマグネット２３を有する。詳細には、マグネット２３は永久磁石である。ロータ２２は、複数個のマグネット２３を保持する。ロータ２２は、軸方向一方側に向けて凹となり、後述のハウジングの一部を囲む窪み部２４を有する。窪み部２４は、中心位置が中心軸ＣＡに略一致する円筒形状の内周壁を有する。複数のマグネット２３は、窪み部２４の内周壁に固定される。複数のマグネット２３は周方向に等間隔に配列され、Ｎ極の磁極面とＳ極の磁極面とが交互に並ぶ。なお、複数のマグネット２３に代えて、Ｎ極とＳ極とが周方向に交互に着磁された１つの円環状のマグネットが使用されてもよい。
【００１９】
モータ１０は、回転部２０を回転可能に支持する静止部３０を有する。静止部３０は、シャフト２１を回転可能に支持する軸受部３１を有する。軸受部３１は、特に限定する趣旨ではないが、本実施形態ではボールベアリングである。この実施形態では、軸受部３１は軸方向に間隔をあけて２つ配置される。なお、軸受部３１の数は２つに限定されず、その数は適宜変更されてよい。軸受部３１は、ボールベアリングに限らず、例えばスリーブ軸受等であってもよい。軸受部がスリーブ軸受である場合には、軸受部の数は１つであってよい。静止部３０は、マグネット２３の径方向内方に対向して配置されるステータ３２を有する。ステータ３２は、モータ１０の電機子である。
【００２０】
ステータ３２は、複数のティースをもつ磁性体のステータコア３２１を有する。ステータコア３２１は、詳細には、ケイ素鋼板等の電磁鋼板が軸方向に積層された積層鋼板である。ステータコア３２１は、中心軸ＣＡと略同軸に配置された円環状のコアバックを有する。複数のティースは、コアバックから径方向外方に向けて突出する。ステータ３２は、複数のティースに巻かれた導線３２２を有する。詳細には、導線３２２は、複数のティースの周囲を覆うインシュレータ３２３上に巻かれる。インシュレータ３２３は、絶縁性の樹脂材料で構成される。インシュレータ３２３は、ティースと導線３２２との間に介在することによって、ティースと導線３２２とを電気的に絶縁する。
【００２１】
静止部３０は、軸受部３１及びステータ３２を保持するハウジング３３を有する。詳細には、ハウジング３３は、窪み部２４内に収容される第１の円筒部３３１と、窪み部２４外に配置される第２の円筒部３３２とを有する。第１の円筒部３３１と第２の円筒部３３２との中心位置は、中心軸ＣＡと略一致する。第２の円筒部３３２は、第１の円筒部３３１に比べて直径が大きい。また、第２の円筒部３３２は、ロータ２２よりも直径が大きい。ハウジング３３は樹脂製である。ハウジング３３は、例えばインサート成型によって軸受部３１及びステータ３２と一体化される。なお、ハウジング３３は金属製であってもよい。金属製のハウジング３３は、例えばダイキャストによって成型されてもよい。また、金属製のハウジング３３は、金属フレームをプレス加工することによって成型されてもよい。
【００２２】
ハウジング３３は、窪み部２４内の軸方向一方側においてロータ２２と対向する第１の対向部３４を有する。図３Ａは、本発明の第１実施形態に係るモータ１０が有する第１の対向部３４を軸方向から見た概略平面図である。図３Ｂは、本発明の第１実施形態に係るモータ１０が有するハウジング３３の部分概略断面図である。
【００２３】
第１の対向部３４は、中心軸ＣＡから径方向端部までの距離Ｄが軸方向一方側に向けて小さくなる先細り部３４０を有する。なお、図３Ｂに記載される距離Ｄ１及び距離Ｄ２は、距離Ｄの具体例を示しており、距離Ｄ２は距離Ｄ１よりも短い。第１の対向部３４は、軸受部３１より径方向外方であり、かつ、周方向の少なくとも一部の範囲において、先細り部３４０を有する。詳細には、先細り部３４０は、距離Ｄが軸方向一方側に向けて漸次小さくなる第１の傾斜面３４０１を含む。第１の傾斜面３４０１は、中心軸ＣＡに対する傾斜角が一定である。ただし、これは例示であり、第１の傾斜面３４０１の中心軸ＣＡに対する傾斜角は、段階的或いは連続的に変化してもよい。
【００２４】
先細り部３４０は、少なくとも軸受部３１よりも上側に設けられればよい。本実施形態では、一例として、第１の対向部３４は、周方向の全範囲に先細り部３４０を有する。また、第１の対向部３４は、先細り部３４０より径方向内方に平坦部３４１を有する。このため、第１の対向部３４は略円錐台形状となっている。なお、平坦部３４１は省略されて、第１の対向部３４は、全体として先細り部３４０を構成してもよい。また、先細り部３４０がシャフト２１近傍まで設けられて、軸受部３１の外周面より径方向内方に先細り部３４０が存在してもよい。
【００２５】
本実施形態では、モータ１０は、シャフト２１が水平となる姿勢で室外機１のカバー部４に直接取り付けられる。この構成では、隙間４０（図２参照）から雨水や雪等が浸入し易い。なお、隙間４０は、ロータ２２と、ハウジング３３の大径の円筒部との間に形成されるとともに、軸受部３１より上側にある。しかし、本実施形態の構成では、隙間４０から浸入した水は、軸受部３１に至る前に第１の傾斜面３４０１を通過する。第１の傾斜面３４０１では、隙間４０から浸入した水は分散されながら下側に流れ易い。このために、隙間４０から浸入した水の多くは、軸受部３１に至るまでに軸受部３１より下側に流される。したがって、本実施形態の構成によれば、軸受部３１に至る水の量を低減して、軸受部３１の劣化を防ぐことができる。
【００２６】
本実施形態では、軸受部３１は、第１の対向部３４の軸方向一方側端部よりもロータ２２から軸方向他方側に離れた位置に配置される。詳細には、軸受部３１は、平坦部３４１よりもロータ２２から軸方向他方側に離れた位置に配置される。このために、隙間４０から浸入した水が軸受部３１に至るまでの長さである経路長を長くできる。すなわち、隙間４０から浸入した水が軸受部３１に到達し難い構造を得られる。ただし、当該構成は例示にすぎず、他の構成であってよい。例えば、軸受部３１とロータ２２との間の軸方向距離が、平坦部３４１とロータ２２との間の軸方向距離と同じであってもよい。例えば、軸受部３１とロータ２２との間の軸方向距離が、平坦部３４１とロータ２２との間の軸方向距離より短くてもよい。
＜３．モータの第２実施形態＞
【００２７】
次に、本発明の第２実施形態に係るモータの構成について説明する。第２実施形態のモータの構成は、第１実施形態の構成と概ね同じである。以下、第１実施形態と異なる部分に絞って説明する。図４Ａは、本発明の第２実施形態に係るモータが有する第１の対向部３４を軸方向から見た概略平面図である。図４Ｂは、本発明の第２実施形態に係るモータが有するハウジング３３の部分概略断面図である。
【００２８】
第１の対向部３４は、第１実施形態と同様に先細り部３４０を有する。ただし、先細り部３４０の構成が第１実施形態とは異なる。詳細には、先細り部３４０は、中心軸ＣＡから径方向端部までの距離Ｄが軸方向一方側に向けて段階的に小さくなる階段部３４０２を含む。なお、図４Ｂに記載される距離Ｄ１及び距離Ｄ２は、距離Ｄの具体例を示しており、距離Ｄ２は距離Ｄ１よりも短い。階段部３４０２は、軸方向に直交する複数の円環状の面を軸方向にずらして並べた構造となっている。複数の円環状の面は、軸方向から見た場合において、同心円状に並ぶ。本明細書においては、軸方向の面と面の間の寸法を段差の大きさと定義する。階段部３４０２における各段差の大きさについては、全てが同じでもよいし、少なくともいずれか１つが他と異なってもよい。複数の円環状の面の径方向の幅についても、全てが同じでもよいし、少なくともいずれか１つが他と異なってもよい。
【００２９】
本実施形態の構成においても、隙間４０（図２参照）から浸入した水を、階段部３４０２によって軸受部３１より下側に落とすことができる。したがって、本実施形態の構成によれば、軸受部３１に至る水の量を低減して、軸受部３１の劣化を防ぐことができる。なお、先細り部３４０は、図４Ｂにおいて、第１実施形態と同様に少なくとも軸受部３１よりも上側に設けられればよく、その形成範囲は適宜変更してよい。
＜４．モータの第３実施形態＞
【００３０】
次に、本発明の第３実施形態に係るモータの構成について説明する。第３実施形態のモータの構成は、第２実施形態の構成と概ね同じである。以下、第２実施形態と異なる部分に絞って説明する。図５は、本発明の第３実施形態に係るモータが有するハウジング３３の部分概略断面図である。
【００３１】
第１の対向部３４は、第２実施形態と同様に、階段部３４０２を含む先細り部３４０を有する。第２実施形態と異なり、先細り部３４０は、軸方向他方側に窪む少なくとも１つの凹部３４０３を有する。この実施形態では、１つの凹部３４０３が先細り部３４０に設けられる。軸方向に延びる凹部３４０３は、一方向抜きの金型のみで形成することができる。凹部３４０３の径方向の幅は、例えば、各円環状の面の径方向の幅と比較して、同程度、或いは、それ以下としてよい。
【００３２】
先細り部３４０に凹部３４０３が構成されると、隙間４０（図２参照）から浸入した水が凹部３４０３に入り込み、表面張力によって留まる。このために、隙間４０から浸入した水には、階段部３４０２によって軸受部３１より下側に分散される水だけでなく、隙間４０から軸受部３１に到達されるまでの間に、凹部３４０３に入り込んで動くことができなくなる水が含まれる。したがって、隙間４０から浸入して軸受部３１に至る水の量が低減し、軸受部３１の劣化を防ぐことができる。
【００３３】
なお、凹部３４０３は先細り部３４０に複数設けられてもよい。凹部３４０３が複数設けられる場合、全ての凹部の深さが同じであってもよく、少なくともいずれか１つの凹部の深さが他と異なっていてもよい。ここで、凹部の深さは、凹部の軸方向の長さのことである。図５においては、凹部３４０３は、径方向において最も外側に位置する円環状の面の径方向内方の端部に設けられる。凹部３４０３が設けられる位置は、この位置に限定されず、別の位置に変更されてよい。例えば、凹部３４０３は、径方向において２番目に外側に位置する円環状の面の径方向内方の端部に設けられてもよい。また、凹部３４０３は、円環状の面の径方向内方の端部ではなく、円環状の面の径方向外方の端部と内方の端部との間に設けられてもよい。
【００３４】
図６Ａは、本発明の第３実施形態に係るモータが有する第１の対向部３４の第１変形例を示す部分概略断面図である。凹部３４０３を構成する径方向外方の内周面は、第２の傾斜面３４０３ａを含む。径方向における第２の傾斜面３４０３ａと中心軸ＣＡとの間の長さＬは、軸方向一方側に向かうにつれて徐々に大きくなる。凹部３４０３が第２の傾斜面３４０３ａを有することによって、隙間４０から浸入した水が凹部３４０３に入り易くなり、凹部３４０３に入ることなく落下することを防止できる。本変形例では、凹部３４０３を構成する径方向外方の内周面全体が第２の傾斜面３４０３ａとなっているが、前記内周面の一部が第２の傾斜面であってもよい。
【００３５】
図６Ｂは、本発明の第３実施形態に係るモータが有する第１の対向部３４の第２変形例を示す部分概略断面図である。凹部３４０３の径方向外方の縁部分は曲面部３４０３ｂを含む。径方向における曲面部３４０３ｂと中心軸ＣＡとの間の長さＬが、軸方向一方側に向かうにつれて徐々に大きくなる。凹部３４０３が曲面部３４０３ｂを有することによって、隙間４０から浸入した水が凹部３４０３に入り易くなり、凹部３４０３に入ることなく落下することを防止できる。なお、凹部３４０３を構成する径方向外方の内周面全体が曲面部３４０３ｂであってもよい。また、曲面部３４０３ｂは、前述の第２の傾斜面３４０３ａとの組み合わせで適用されてよい。例えば、凹部３４０３の径方向外方の縁部分のみが曲面部３４０３ｂであって、凹部３４０３の径方向外方の内周面の大部分が傾斜面３４０３ａである構成としてもよい。
＜５．モータの第４実施形態＞
【００３６】
次に、本発明の第４実施形態に係るモータの構成について説明する。第４実施形態のモータの構成は、第１実施形態の構成と概ね同じである。以下、第１実施形態と異なる部分に絞って説明する。図７Ａは、本発明の第４実施形態に係るモータが有するハウジング３３の概略斜視図である。図７Ｂは、本発明の第４実施形態に係るモータが有するハウジング３３の概略平面図である。図７Ｃは、本発明の第４実施形態に係るモータが有するハウジング３３の概略側面図である。図７Ｄは、本発明の第４実施形態に係るモータが有するハウジング３３の部分概略断面図である。
【００３７】
第１の対向部３４は、第１実施形態と同様に先細り部３４０を有する。なお、図７Ｄに記載される距離Ｄ１及び距離Ｄ２は、距離Ｄの具体例を示しており、距離Ｄ２は距離Ｄ１よりも短い。先細り部３４０は、軸方向他方側に窪む凹部３４０４を含む。また、先細り部３４０は、凹部３４０４と径方向に隣り合うとともに軸方向の高さが異なる複数の凸部３４０５を含む。本実施形態では、複数の凸部３４０５は、第１の凸部３４０５ａと第２の凸部３４０５ｂとの２つで構成される。第２の凸部３４０５ｂは、第１の凸部３４０５ａに比べて径方向内方に位置する。第２の凸部３４０５ｂは、第１の凸部３４０５ａよりも軸方向の高さが高い。第２の凸部３４０５ｂは、第１の凸部３４０５ａよりの径方向の幅が狭い。ただし、これらは例示にすぎず、他の構成とされてもよい。例えば、第１の凸部３４０５ａと第２の凸部３４０５ｂの径方向の位置は適宜変更して構わない。場合によっては、第１の凸部３４０５ａが第２の凸部３４０５ｂに比べて径方向内側に位置していてもよい。第１凸部３４０５ａと第２の凸部３４０５ｂとは、径方向の幅が同じにされてよい。第２の凸部３４０５ｂは、第１の凸部３４０５ａより径方向の幅が広くされてもよい。凹部３４０４は、第３実施形態の凹部３４０３と比較して径方向の幅が広い。ただし、第１の凸部３４０５ａと第２の凸部３４０５ｂとの径方向の位置が変更されることによって、凹部３４０４の径方向の幅は変わる。第１の凸部３４０５ａと第２の凸部凸部３４０５は、ハウジング３３と同一部材であるのが好ましいが、別部材であってもよい。
【００３８】
この実施形態では、凹部３４０４及び凸部３４０５は、環状に設けられる。詳細には、凹部３４０４及び凸部３４０５の軸方向から見た場合の形状は円環状である。凹部３４０４の径方向外方の内周面は、第３実施形態の第１変形例で説明した第２の傾斜面を含んでよい。また、凹部３４０４の径方向外方の縁部分は、第３実施形態の第２変形例で説明した曲面部を含んでよい。
【００３９】
本実施形態の構成においても、隙間４０から浸入した水は先細り部３４０を通過する。このために、浸入した水は軸受部３１に至るまでに軸受部３１より下側に落とされ易い。先細り部３４０は上述の凹部３４０４及び凸部３４０５を有するために、浸入した水が隙間４０から軸受部３１に至るまでの経路長を長くすることができる。また、浸入した水が第１の凸部３４０５ａ乗り越えた場合であっても、凹部３４０４に水を保持することができる。さらに、第２の凸部３４０５ｂが凹部３４０４の径方向内側に位置しているため、凹部３４０４に溜まった水が軸受部３１へと流れ出すことが抑制される。以上から、本実施形態の構成によれば、隙間４０から浸入して軸受部３１に至る水の量を低減して、軸受部３１の劣化を防ぐことができる。
【００４０】
図８は、本発明の第４実施形態に係るモータの部分概略断面図である。ハウジング３３は、窪み部２４外でロータ２２に対向する第２の対向部３５を有する。詳細には、第２の対向部３５は、窪み部２４よりも径方向外方でロータ２２に対向する。第２の対向部３５と、ロータ２２の径方向に平行な外面との間には周方向全周にわたってラビリンス構造３６が形成される。ラビリンス構造３６は、詳細には、第２の対向部３５に設けられる軸方向の凹凸と、ロータ２２に設けられる軸方向の凹凸との組み合わせによって形成される。ラビリンス構造３６が設けられることによって、水の浸入経路を長くすることができ、モータ内部への水の浸入を低減することができる。
【００４１】
第２の対向部３５は、ラビリンス構造３６を形成する突出部３６０を有する。詳細には、第２の対向部３５は、径方向に間隔をあけて配置される第１の突出部３６０ａと第２の突出部３６０ｂとを有する。第１の突出部３６０ａは、第２の突出部３６０ｂよりも径方向外方に配置される。第１の突出部３６０ａと第２の突出部３６０ｂとは軸方向に延びる。第１の突出部３６０ａと第２の突出部３６０ｂとは、軸方向から見た場合において円環状である。この実施形態では、第１の突出部３６０ａは第２の突出部３６０ｂに比べて径方向の幅が広い。これは例示であり、他の構成にされてもよい。例えば、第１の突出部３６０ａと第２の突出部３６０ｂとの径方向の幅は同じとされてもよい。また、第１の突出部３６０ａは、第２の突出部３６０ｂに比べて径方向の幅が狭くされてもよい。
【００４２】
図９は、本発明の第４実施形態に係るモータが有する突出部３６０の一部及びその周辺を拡大して示す概略斜視図である。突出部３６０には、第１の溝部３６１が形成される。詳細には、第１の突出部３６０ａ及び第２の突出部３６０ｂには、それぞれ径方向に延びる１つの第１の溝部３６１が形成される。２つの第１の溝部３６１は、図７Ｂ及び図９に示すように、径方向に一列に並ぶ。より詳細には、２つの第１の溝部３６１は鉛直方向に一列に並ぶ。ラビリンス構造を形成する凹凸の数は特に限定されず、複数設けてもよい。凹凸の数を増やすことによって、水の浸入経路を長くして、水が軸受部３１に到達し難くできる。第１の突出部３６０ａ及び第２の突出部３６０ｂにそれぞれ設けられる第１の溝部３６１の数は、１つに限定されず、複数であってもよい。
【００４３】
図７Ａ及び図７Ｂに示すように、第１の凸部３４０５ａには第２の溝部３４０６が形成される。第２の溝部３４０６は径方向に延びる。第２の溝部３４０６が第１の凸部３４０５ａに設けられる数は１つに限定されず、複数であってもよい。第１の溝部３６１と第２の溝部３４０６とは径方向に並ぶ。詳細には、第１の溝部３６１と第２の溝部３４０６とは鉛直方向に並ぶ。凹部３４０４に浸入した水は、第２の溝部３４０６によって凹部３４０４から排出される。凹部３４０４から排出された水は、第１の溝部３６１を通ってモータ外部に排出される。よって、モータ内部に浸入した水がモータ内部に溜まって軸受部３１に到達するのを防ぐことができる。
【００４４】
なお、第１の溝部３６１及び第２の溝部３４０６のうちの少なくとも一方は、径方向外方に向けて幅が狭くなる先細り形状であるのが好ましい。このように構成すると、モータ内部の水を外部に排出し易く、且つ、モータ外部からの水の浸入を防ぎ易くなる。
【００４５】
図１０は、本発明の第４実施形態に係るモータが有する第１の対向部３４の変形例を示す概略平面図である。図１０に示すように、凹部３４０４及び凸部３４０５は環状に設けられる。凹部３４０４及び凸部３４０５の軸方向から見た場合の形状は矩形環状である。凸部３４０５の角部の一つは、シャフト２１の真上にあるのが好ましい。すなわち、シャフト２１の真上と真下には、凸部３４０５の角部がそれぞれ位置する。本構成では、角部によって浸入した水を分散させながら下側に導き易くすることができ、浸入した水が凸部３４０５の上側に溜まり難い。
【００４６】
なお、凹部３４０４及び凸部３４０５の軸方向から見た場合の形状は、特に限定されるものではなく、例えば、楕円環状、多角形環状などであってもよい。凸部３４０５の形状が楕円環状とされる場合、楕円の長軸方向における端部が、シャフト２１の真上と真下に配置されるのが好ましい。凸部３４０５の形状が多角形環状とされる場合にも、角部の一つはシャフト２１の真上にあるのが好ましい。凹部３４０４及び凸部３４０５の軸方向から見た場合の形状が上述した円環状である場合には、樹脂成形時に凹部３４０４及び凸部３４０５にバリが発生し難いという利点を有する。なお、環状に設けられる凹部３４０４及び凸部３４０５の軸方向から見た場合の形状は、上述の形状に限らず、更に変更可能である。例えば、軸方向から見た場合において、凹部３４０４と凸部３４０５との外周形状は、同じでもよいが、互いに異なってもよい。例えば、軸方向から見た場合において、凹部３４０４と凸部３４０５とのうちのいずれか一方の外周形状が円形状であり、他方の外周形状が矩形状であってもよい。
＜６．モータの第５実施形態＞
【００４７】
次に、本発明の第５実施形態に係るモータの構成について説明する。第５実施形態のモータの構成は、第４実施形態の構成と概ね同じである。以下、第４実施形態と異なる部分に絞って説明する。図１１Ａは、本発明の第５実施形態に係るモータが有するハウジング３３の概略斜視図である。図１１Ｂは、本発明の第５実施形態に係るモータが有するハウジング３３の概略平面図である。
【００４８】
第５実施形態においては、第４実施形態と同様に、先細り部３４０は、凹部３４０４と凸部３４０５とを有する。ただし、第５実施形態では、凸部３４０５に挟まれる凹部３４０４の数が異なる。凹部３４０４の数の変更に合わせて凸部３４０５の数も第４実施形態とは異なる。詳細には、凹部３４０４の数は４つ、凸部３４０５の数は５つである。これらの数は適宜変更されてよい。複数の凹部３４０４及び凸部３４０５の径方向の幅については、それぞれ、全て同じでもよいし、少なくともいずれか１つが異なってもよい。
【００４９】
複数の凸部３４０５には、最も径方向内側に位置する凸部を除いて第２の溝部３４０６が形成される。すなわち、この実施形態では、先細り部３４０に第２の溝部３４０６が複数ある。複数の第２の溝部３４０６は、径方向に一列に並ぶ。換言すると、各第２の溝部３４０６の周方向の位置は、同じである。第１の溝部３６１と第２の溝部３４０６とは径方向に並ぶ。すなわち、周方向において、第１の溝部３６１の位置は第２の溝部３４０６の位置と同じである。本実施形態では、先細り部３４０に凹部３４０６が複数あるため、浸入した水が軸受部３１に到達するまでの間の経路が長くなり、軸受部３１に水が浸入することを抑制できる。また、各凹部３４０６に入った水は、第１の溝部３６１と第２の溝部３４０６を介して、モータ外部へと導かれる。したがって、モータ内部に水が浸入した場合であっても、軸受部３１に水が到達することを抑制できる。
＜７．更なる変形例等＞
【００５０】
以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００５１】
図１２は、本発明の実施形態に係るモータの更なる変形例を説明するための部分概略断面図である。図１２に示す変形例においても、第１の対向部３４は、中心軸ＣＡから径方向端部までの距離Ｄが軸方向一方側に向けて小さくなる先細り部３４０を有する。なお、図１２に記載される距離Ｄ１及び距離Ｄ２は、距離Ｄの具体例を示しており、距離Ｄ２は距離Ｄ１よりも短い。図１２に示すように、先細り部３４０は、第１の傾斜面３４０１と階段部３４０２と凹部３４０７とを含む。図１２では、凹部３４０７が含まれる構成が示されるが、凹部３４０７は含まれず、先細り部３４０は、第１の傾斜面３４０１と階段部３４０２のみを有してもよい。先細り部３４０は、第１実施形態から第５実施形態に示される構成の少なくとも２つ以上を組み合わせた構成であってもよい。
【００５２】
図１３は、本発明の実施形態に係るモータの更なる変形例を説明するための部分概略断面図である。図１３に示すように、第１の対向部３４は、先細り部３４０の軸方向一方側端部に隣り合う壁部３４２を有する。詳細には、壁部３４２は、先細り部３４０の軸方向一方側に最も突出している部分に設けられている。壁部３４２の距離Ｄｗは、壁部３４２と隣り合う先細り部３４０の軸方向一方側端部の距離Ｄｅよりも長い。距離Ｄｗは、壁部における、中心軸ＣＡから径方向端部までの最も長い距離を指す。距離Ｄｅは、壁部３４２と接する先細り部３４０の軸方向一方側端部における、中心軸ＣＡから径方向端部までの距離を指す。壁部３４２は、例えば円盤状であってよいが、他の形状であってもよい。例えば、先細り部３４０を構成する階段部３４０２の形状の変更に合わせて、壁部３４２の形状も変更してよい。壁部３４２は、ハウジング３３と同一部材でも別部材でもよい。
【００５３】
先細り部３４０に壁部３４２を設けることによって、先細り部３４０の先端に向けて流れてきた水を堰き止めることができる。このために、先細り部３４０に壁部３４２を設けることによって、軸受部３１に水が到達することを抑制できる。なお、壁部３４２が設けられる位置は、先細り部３４０の軸方向一方側に最も突出している部分に限らない。例えば、先細り部３４０が階段部３４０２を含む場合に、壁部３４２は、軸方向一方側に最も突出した面よりも軸方向他方側に位置する面に設けられてもよい。また、図１３では、階段部３４０２を含む先細り部３４０に壁部３４２が適用される場合を例示しているが、壁部３４２は他の構成の先細り部３４０に適用されてもよい。
【００５４】
以上においては、本発明がモールドモータに適用される場合を示したが、本発明はモールドモータ以外のモータに適用されてもよい。また、以上においては、本発明のモータが室外機に適用される場合を例示したが、本発明のモータは室外機以外に適用されてもよい。
【産業上の利用可能性】
【００５５】
本発明はアウターロータ型のモータに好適である。
【符号の説明】
【００５６】
１・・・室外機、２・・・筐体、３・・・開口部、４・・・カバー部、４ａ・・・円板部、４ｂ・・・第１のリブ、４ｃ・・・第２のリブ、４ｄ・・・通気孔、１０・・・モータ、２０・・・回転部、２１・・・シャフト、２２・・・ロータ、２２ａ・・・羽根、２３・・・マグネット、２４・・・窪み部、３０・・・静止部、３１・・・軸受部、３２・・・ステータ、３３・・・ハウジング、３４・・・第１の対向部、３５・・・第２の対向部、３６・・・ラビリンス構造、３２１・・・ステータコア、３２２・・・導線、３２３・・・インシュレータ、３４０・・・先細り部、３４１・・・平坦部、３４２・・・壁部、３６０・・・突出部、３６０ａ・・・第１の突出部、３６０ｂ・・・第２の突出部、３６１・・・第１の溝部、３４０１・・・第１の傾斜面、３４０２・・・階段部、３４０３、３４０４、３４０７・・・凹部、３４０３ａ・・・第２の傾斜面、３４０３ｂ・・・曲面部、３４０５・・・凸部、３４０５ａ・・・第１の凸部、３４０５ｂ・・・第２の凸部、３４０６・・・第２の溝部、ＣＡ・・・中心軸
【図１】
2019068488.tif 000003
【図２】
2019068488.tif 000004
【図３Ａ】
2019068488.tif 000005
【図３Ｂ】
2019068488.tif 000006
【図４Ａ】
2019068488.tif 000007
【図４Ｂ】
2019068488.tif 000008
【図５】
2019068488.tif 000009
【図６Ａ】
2019068488.tif 000010
【図６Ｂ】
2019068488.tif 000011
【図７Ａ】
2019068488.tif 000012
【図７Ｂ】
2019068488.tif 000013
【図７Ｃ】
2019068488.tif 000014
【図７Ｄ】
2019068488.tif 000015
【図８】
2019068488.tif 000016
【図９】
2019068488.tif 000017
【図１０】
2019068488.tif 000018
【図１１Ａ】
2019068488.tif 000019
【図１１Ｂ】
2019068488.tif 000020
【図１２】
2019068488.tif 000021
【図１３】
2019068488.tif 000022